(57)【特許請求の範囲】
【請求項１】
複数の見出し語と各見出し語の説明情報とを対応付けた辞書データを記憶する辞書データ記憶手段と、
ユーザ操作に応じて検索された見出し語に対応する説明情報を前記辞書データから読み出し第１の画面に表示させる説明情報表示手段と、
前記検索された見出し語に対応した説明情報に含まれる用例を前記辞書データから読み出し、当該用例の一覧を第２の画面に表示させる用例一覧表示手段と、
この用例一覧表示手段により表示された各用例の中からユーザ操作に応じて選択された用例を前記第２の画面に表示させる用例表示手段と、
を備えたことを特徴とする辞書情報表示装置。
【請求項２】
前記用例一覧表示手段は、前記検索された見出し語に対応した説明情報に含まれる用例とその解説を前記辞書データから読み出し、当該用例と解説の一覧を第２の画面に表示させ、
前記用例表示手段は、前記用例一覧表示手段により表示された各用例と解説の中からユーザ操作に応じて選択された用例または解説を前記第２の画面に表示させる、
ことを特徴とする請求項１に記載の辞書情報表示装置。
【請求項３】
前記用例一覧表示手段は、前記検索された見出し語に対応した説明情報に含まれる用例とその解説と成句を前記辞書データから読み出し、当該用例と解説と成句の一覧を絞り込みキーと共に第２の画面に表示させ、
前記第２の画面に表示された絞り込みキーがユーザ操作に応じて指定された際に、前記辞書データから読み出された見出し語とその成句の一覧だけを同第２の画面に表示させる成句一覧表示手段を備えた、
ことを特徴とする請求項２に記載の辞書情報表示装置。
【請求項４】
前記辞書データ記憶手段により記憶される説明情報に含まれる用例は、当該説明情報の語義毎に対応付けられて記憶され、
前記説明情報表示手段により第１の画面に表示された説明情報をユーザ操作に応じてスクロールさせる説明情報スクロール手段と、
この説明情報スクロール手段によりスクロールされて前記第１の画面に表示された説明情報の語義位置に合わせて、前記用例一覧表示手段により第２の画面に表示された用例の一覧をスクロールさせる語義位置対応用例スクロール手段と、
を備えたことを特徴とする請求項１に記載の辞書情報表示装置。
【請求項５】
前記辞書データ記憶手段により記憶される説明情報に含まれる用例は、当該説明情報の語義毎に対応付けられて記憶され、
前記用例表示手段によりユーザ操作に応じて選択された用例が前記第２の画面に表示された際に、当該用例の語義位置に合わせて、前記説明情報表示手段により第１の画面に表示された説明情報の語義位置をスクロールさせる用例対応説明情報スクロール手段を備えた、
ことを特徴とする請求項１に記載の辞書情報表示装置。
【請求項６】
第１の画面と第２の画面とを有する電子機器のコンピュータを制御するためのプログラムであって、
前記コンピュータを、
複数の見出し語と各見出し語の説明情報とを対応付けた辞書データをメモリに記憶させる辞書データ記憶手段、
この辞書データ記憶手段により記憶された辞書データから、ユーザ操作に応じて検索された見出し語に対応する説明情報を読み出し前記第１の画面に表示させる説明情報表示手段、
前記検索された見出し語に対応した説明情報に含まれる用例を前記辞書データから読み出し、当該用例の一覧を前記第２の画面に表示させる用例一覧表示手段、
この用例一覧表示手段により表示された各用例の中からユーザ操作に応じて選択された用例を前記第２の画面に表示させる用例表示手段、
として機能させるためのプログラム。
【発明の詳細な説明】
【技術分野】
【０００１】
本発明は、辞書に集録された見出し語を検索してその説明情報を表示させるための辞書情報表示装置およびその制御プログラムに関する。
【背景技術】
【０００２】
一般に書籍の辞書の場合、見出し語の記述に続く欄に、各語義やその例文、解説、成句、熟語等の全ての説明情報が一覧にして記述されるので、当該見出し語について調べたい部分を一見して見つけることができる。
【０００３】
一方、従来の電子辞書装置において、所望の見出し語を検索してその説明情報を表示させた場合、説明情報の語義毎に対応付けられた用例や解説は、その存在が各語義の説明情報の位置にアイコンとして表示され、同アイコンをタッチ操作あるいはキー操作により指定することで、指定された用例、解説の内容が読み出されて表示される。
【０００４】
また、検索された見出し語に対応する成句、熟語がある場合は、当該見出し語に対応する説明情報の表示画面上に［成句］［熟語］のマークが表示され、同マークをタッチ操作あるいはキー操作により指定することで、成句、熟語が読み出されて表示される。
【０００５】
従来の電子辞書装置であって、検索した見出し語の用例を表示させる際に、追加する単語の入力または選択を受け付け、当該見出し語に該当する用例のうち、追加単語を含む用例を検索して表示させることで、ユーザの意図に沿った用例を表示させることができる情報表示制御装置が考えられている（例えば、特許文献１参照。）。
【先行技術文献】
【特許文献】
【０００６】
【特許文献１】特開２００４−２１３３１３号公報
【発明の概要】
【発明が解決しようとする課題】
【０００７】
書籍の辞書のように一覧性のない電子辞書装置では、検索見出し語に対応する説明情報を表示させた際に、その表示画面をスクロールして全体を俯瞰しないと、当該説明情報（用例、解説、成句、熟語等含む）の全体のデータ構造を知ることができない。
【０００８】
このため、検索見出し語に対応して調べたい部分が何処に記述されているのかを一見して知ることができないばかりでなく、何処らへんに記述されているのか知り得たとしても、表示画面をスクロールする以外に該当部分に辿り着くための手段がないという問題があった。
【０００９】
本発明は、このような課題に鑑みなされたもので、検索見出し語の説明情報を表示させる際に、当該説明情報の全体のデータ構造をユーザが容易に把握することができると共に、所望の部分の情報を簡便に見ることが可能になる辞書情報表示装置およびその制御プログラムを提供することを目的とする。
【課題を解決するための手段】
【００１０】
請求項１に記載の辞書情報表示装置は、複数の見出し語と各見出し語の説明情報とを対応付けた辞書データを記憶する辞書データ記憶手段と、ユーザ操作に応じて検索された見出し語に対応する説明情報を前記辞書データから読み出し第１の画面に表示させる説明情報表示手段と、前記検索された見出し語に対応した説明情報に含まれる用例を前記辞書データから読み出し、当該用例の一覧を第２の画面に表示させる用例一覧表示手段と、この用例一覧表示手段により表示された各用例の中からユーザ操作に応じて選択された用例を前記第２の画面に表示させる用例表示手段と、を備えたことを特徴としている。
【発明の効果】
【００１１】
本発明によれば、検索見出し語の説明情報を表示させる際に、当該説明情報の全体のデータ構造をユーザが容易に把握することができると共に、所望の部分の情報を簡便に見ることが可能になる辞書情報表示装置およびその制御プログラムを提供できる。
【図面の簡単な説明】
【００１２】
【図１】本発明の辞書情報表示装置の実施形態に係る電子辞書装置１０の外観構成を示す正面図。
【図２】前記電子辞書装置１０の電子回路の構成を示すブロック図。
【図３】前記電子辞書装置１０の辞書検索処理を示すフローチャート。
【図４】前記電子辞書装置１０の辞書検索処理に伴うサブ画面データの生成処理を示すフローチャート。
【図５】前記電子辞書装置１０の辞書データベース２２ｂに記憶された［英和辞書］２２ｂ２のデータ構造および前記辞書検索処理に伴うサブ画面データの生成処理に応じた用例・解説・成句一覧データＬの生成イメージを示す図。
【図６】前記電子辞書装置１０の辞書検索処理に伴うタッチパネル式表示部（メイン画面）１６および手書き入力部（サブ画面）１５の表示動作（その１）を示す図。
【図７】前記電子辞書装置１０の辞書検索処理に伴うタッチパネル式表示部（メイン画面）１６および手書き入力部（サブ画面）１５の表示動作（その２）を示す図。
【発明を実施するための形態】
【００１３】
以下図面により本発明の実施の形態について説明する。
【００１４】
図１は、本発明の辞書情報表示装置の実施形態に係る電子辞書装置１０の外観構成を示す正面図である。
【００１５】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る］キー１４ｄ、カーソルキー１４ｅ、ページ送りキー１４ｆなどを備えたキー入力部（キーボード）１４、および手書き入力部（サブ画面）１５が備えられる。
【００１７】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。この手書き入力部（サブ画面）１５は、必要に応じて、手書き文字を入力するための手書き文字入力領域や各種機能のキー入力領域、あるいは当該各入力領域が混在する領域、あるいは辞書検索された説明情報に含まれる［用例］［解説］［成句］［熟語］等を一覧にして表示するための補助表示領域に切り替えられる。
【００１８】
そして、前記手書き入力部１５が手書き文字入力領域に切り替えられた状態での手書き入力に伴う軌跡はそのバックライト付きカラー液晶表示画面１５ｄにエコーバックして表示される。
【００１９】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２０】
そして、この電子辞書装置１０は、ユーザ操作に応じて検索された見出し語に対応する説明情報表示画面Ｇａがタッチパネル式表示部（メイン画面）１６に表示された際に、当該説明情報に含まれる［用例］［解説］［成句］［熟語］等の見出しを一覧にした付帯情報一覧画面Ｇｂを手書き入力部（サブ画面）１５に表示させる機能を有する。
【００２１】
図２は、前記電子辞書装置１０の電子回路の構成を示すブロック図である。
【００２２】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、記憶装置２２内に予め記憶された装置制御プログラム２２ａ、あるいはＲＯＭカードなどの外部記憶媒体２３から記憶媒体読み書き部２４を介して前記記憶装置２２に読み込まれた装置制御プログラム２２ａ、あるいはインターネットＮ上のＷｅｂサーバ（この場合はプログラムサーバ）３０から外部インターフェイス２５を介して前記記憶装置２２に読み込まれた装置制御プログラム２２ａに応じて、ＲＡＭ２６を作業用メモリとして回路各部の動作を制御する。
【００２４】
前記記憶装置２２に記憶された装置制御プログラム２２ａは、キー入力部１４、手書き入力部（サブ画面）１５、タッチパネル式表示部（メイン画面）１６からのユーザ操作に応じた入力信号、あるいは外部インターフェイス２５を介して接続されるインターネットＮ上の各Ｗｅｂサーバ３０…との通信信号に応じて起動される。
【００２５】
このように、前記ＣＰＵ２１には、前記記憶装置２２、記憶媒体読み書き部２４、外部インターフェイス２５、ＲＡＭ２６、キー入力部１４、手書き入力部（サブ画面）１５、タッチパネル式表示部（メイン画面）１６が接続される。
【００２６】
記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、辞書機能における手書き文字の入力・認識処理、検索語入力処理、検索語に対応した見出し語検索処理、検索見出し語の一覧表示処理、カーソルにより指定された見出し語に対応する訳語・意味内容・用例・解説・成句などの各種説明情報の読み出し表示処理、説明情報に含まれる用例・解説・成句などの付帯情報の見出し一覧表示処理など、同記憶装置２２内に記憶された辞書データベース２２ｂに基づく検索・編集・表示処理全般を制御するための辞書検索プログラムが記憶される。
【００２７】
辞書データベース２２ｂには、例えば日本語の見出し語に対応付けて日本語の説明情報が記述された［国語辞書］２２ｂ１、英語の見出し語（単語）に対応付けて日本語の説明情報が記述された［英和辞書］２２ｂ２、日本語の見出し語（単語）に対応付けて英語の説明情報が記述された［和英辞書］２２ｂ３、５０音順にした各種言語の見出し語に対応付けて日本語の解説や絵，写真などの画像からなる説明情報が集録された［百科辞典］２２ｂ４をはじめ、複数種類の辞書データが予め記憶されるかあるいはダウンロードされて記憶される。
【００２８】
ここで、前記辞書データベース２２ｂにおける、例えば［英和辞書］２２ｂ２の辞書データは、アルファベット順の各見出し語に対応付けて、当該見出し語の説明情報が、発音記号→変化形→語義、各語義毎の用例→解説の順でツリー形式のデータ構造にされて集録される（図５（Ａ）参照）。また、各見出し語に対応した成句は、当該見出し語に直接対応付けられた成句データ２２ｂ２ｐ（図５（Ｃ）参照）として集録される。
【００２９】
前記ＲＡＭ２６には、メイン画面データメモリ２６ａ、サブ画面データメモリ２６ｂが確保される。
【００３０】
メイン画面データメモリ２６ａには、前記タッチパネル式表示部（メイン画面）１６に表示させる表示データがビットマップパターンに展開されて記憶される。
【００３１】
サブ画面データメモリ２６ｂには、前記手書き入力部（サブ画面）１５に表示させる表示データがビットマップパターンに展開されて記憶される。
【００３２】
このように構成された電子辞書装置１０は、ＣＰＵ２１が前記装置制御プログラム２２ａ（辞書機能における手書き文字の入力・認識処理、検索語入力処理、検索語に対応した見出し語検索処理、検索見出し語の一覧表示処理、カーソルにより指定された見出し語に対応する各種説明情報の読み出し表示処理、説明情報に含まれる付帯情報の見出し一覧表示処理等を実行するためのプログラムを含む）に記述された命令に従い回路各部の動作を制御し、ソフトウエアとハードウエアとが協働して動作することにより、以下の動作説明で述べる機能を実現する。
【００３３】
次に、前記構成による電子辞書装置１０の動作について説明する。
【００３４】
図３は、前記電子辞書装置１０の辞書検索処理を示すフローチャートである。
【００３５】
図４は、前記電子辞書装置１０の辞書検索処理に伴うサブ画面データの生成処理を示すフローチャートである。
【００３６】
図５は、前記電子辞書装置１０の辞書データベース２２ｂに記憶された［英和辞書］２２ｂ２のデータ構造および前記辞書検索処理に伴うサブ画面データの生成処理に応じた用例・解説・成句一覧データＬの生成イメージを示す図である。
【００３７】
図６は、前記電子辞書装置１０の辞書検索処理に伴うタッチパネル式表示部（メイン画面）１６および手書き入力部（サブ画面）１５の表示動作（その１）を示す図である。
【００３８】
図７は、前記電子辞書装置１０の辞書検索処理に伴うタッチパネル式表示部（メイン画面）１６および手書き入力部（サブ画面）１５の表示動作（その２）を示す図である。
【００３９】
辞書指定キー１４ｂのユーザ操作に応じて［英和辞書］２２ｂ２が指定されると、タッチパネル式表示部（メイン画面）１６に検索語入力画面が表示される。
【００４０】
この検索語入力画面において、文字入力キー１４ａまたは手書き入力部１５のユーザ操作に応じて検索語（例えば「bre…」）が入力されると（ステップＳ１）、入力された検索語と先頭一致する見出し語（単語）が前記［英和辞書］２２ｂ２から検索され、検索された見出し語の一覧画面が同タッチパネル式表示部（メイン画面）１６に表示される（ステップＳ２）。
【００４１】
この見出し語一覧画面において、同画面のタッチまたはカーソルキー１４ｅの操作に応じてユーザ所望の見出し語「break」が選択されると、当該選択された見出し語に対応した説明情報が前記［英和辞書］２２ｂ２から読み出され、図６（Ａ）に示すように、説明情報表示画面Ｇａとしてタッチパネル式表示部１６に表示される（ステップＳ３）。
【００４２】
この説明情報一覧画面Ｇａにおいて、見出し語「break」の各語義に対応して用例や解説が存在する場合は、［用例］アイコンあるいは［解説］アイコンが語義情報の後ろに表示される。また、成句がある場合は、［成句］マークＭｐが説明情報一覧画面Ｇａの上方に表示される。
【００４３】
すると、図４に示すサブ画面データの生成処理へ移行され、手書き入力部（サブ画面）１５に対し表示する表示データが生成される（ステップＳＡ）。
【００４４】
このサブ画面データの生成処理では、先ず、前記検索された見出し語「break」に対応付けられて、図５（Ａ）に示すようなデータ構造で［英和辞書］２２ｂ２に記憶されている説明情報の中から、各語義毎の用例および解説のデータが読み出され、図５（Ｂ）に示すように、そのそれぞれの語義位置と対応付けた用例・解説・語義位置対応データＤとしてＲＡＭ２６に保存される（ステップＡ１）。
【００４５】
また、前記検索された見出し語「break」に対応付けられて、図５（Ｃ）に示すように［英和辞書］２２ｂ２に記憶されている成句データ２２ｂ２ｐが読み込まれる（ステップＡ２）。
【００４６】
すると、図５（Ｄ）に示すように、前記ステップＡ１にてＲＡＭ２６に保存された用例・解説・語義位置対応データＤ（図５（Ｂ）参照）の用例・解説のデータと、前記ステップＡ２にて読み込まれた成句データ２２ｂ２ｐ（図５（Ｃ）参照）とを組み合わせた用例・解説・成句一覧データＬが生成され（ステップＡ３）、図６に示すように、個々のデータの先頭に適切なインデントを付けた見出し語「break」の付帯情報一覧画面Ｇｂとして手書き入力部（サブ画面）１５に表示される（ステップＳ４）。
【００４７】
この際、付帯情報一覧画面Ｇｂには、前記用例・解説・成句一覧データＬの用例、解説、成句の各内容が、手書き入力部（サブ画面）１５に一行表示可能な範囲で見出し的に表示される。
【００４８】
また、前記付帯情報一覧画面Ｇｂには、成句だけの一覧に絞り込むための［成句］キーＫｐ、用例だけの一覧に絞り込むための［用例］キーＫｅ、解説だけの一覧に絞り込むための「解説」キーＫｃ、および当該一覧にしたデータをスクロールするためのスクロールキーＫｓが表示される。
【００４９】
前記タッチパネル式表示部（メイン画面）１６に対する説明情報表示画面Ｇａおよび手書き入力部（サブ画面）１５に対する付帯情報一覧画面Ｇｂの表示状態にあって、カーソルキー１４ｅやページ送りキー１４ｆあるいはタッチパネル式表示部（メイン画面）１６のタッチスライド操作により、メイン画面１６（説明情報表示画面Ｇａ）のスクロール操作があったと判断されると（ステップＳ５）、当該スクロール操作に応じて同メイン画面１６（説明情報表示画面Ｇａ）に表示されている見出し語「break」の説明情報がスクロールされる（ステップＳ６）。
【００５０】
ここで、現在、手書き入力部（サブ画面）１５に付帯情報一覧画面Ｇｂの表示中であると判断されると（ステップＳ７（Ｙｅｓ））、前記メイン画面１６（説明情報表示画面Ｇａ）のスクロールに応じた説明情報の語義位置に合わせて、サブ画面１５（付帯情報一覧画面Ｇｂ）に表示される用例の位置も更新される（ステップＳ９）。
【００５１】
なお、前記メイン画面１６（説明情報表示画面Ｇａ）１６がスクロールされた際に（ステップＳ５，Ｓ６）、サブ画面１５に付帯情報一覧画面Ｇｂが表示されてないと判断された場合には（ステップＳ７（Ｎｏ））、当該サブ画面１５の表示内容が付帯情報一覧画面Ｇｂに戻された後に（ステップＳ８）、前記メイン画面１６（説明情報表示画面Ｇａ）のスクロールに応じた説明情報の語義位置に合わせて、同サブ画面１５（付帯情報一覧画面Ｇｂ）に表示される用例の位置が更新される（ステップＳ９）。
【００５２】
一方、前記手書き入力部（サブ画面）１５の右端にあるスクロールキーＫｓあるいは同手書き入力部（サブ画面）１５のタッチスライド操作により、画面スクロールの操作があったと判断された場合は（ステップＳ１０（Ｙｅｓ））、同サブ画面１５に表示中の内容がスクロールされる（ステップＳ１１）。
【００５３】
また、前記図６（Ａ）で示したように、手書き入力部（サブ画面）１５の付帯情報一覧画面Ｇｂに共に表示されている［成句］キーＫｐ、［用例］キーＫｅ、「解説」キーＫｃのうち、何れかの絞り込みキー（例えば［成句］キーＫｐ）がタッチされると（ステップＳ１２（Ｙｅｓ））、同付帯情報一覧画面Ｇｂに表示される用例・解説・成句一覧データＬ（図５（Ｄ）参照）のうち、図６（Ｂ）に示すように［成句］データ２２ｂ２ｐだけに絞り込んだ成句一覧画面Ｇｂｐが、手書き入力部（サブ画面）１５に切り替えられて表示される（ステップＳ１３）。
【００５４】
また、図７（Ａ）に示すように、見出し語「break」に対応した説明情報表示画面Ｇａがタッチパネル式表示部（メイン画面）１６に表示されると共に、その説明情報に応じた付帯情報一覧画面Ｇｂが手書き入力部（サブ画面）１５に表示された状態で、当該付帯情報一覧画面Ｇｂに表示された例えば３番目の［用例］「break one’s …」ｅ３がペンＰによりタッチされて選択されると（ステップＳ１４（Ｙｅｓ））、図７（Ｂ）に示すように、選択された［用例］ｅ３の全内容「break one’s journey at Rome（ローマで途中下車する）」ｅ３が前記［英和辞書］２２ｂ２から読み出され、手書き入力部（サブ画面）１５に表示される（ステップＳ１５（Ｙｅｓ）→Ｓ１６）。
【００５５】
この際、前記選択されて手書き入力部（サブ画面）１５に表示された［用例］ｅ３について、タッチパネル式表示部（メイン画面）１６に現在表示されている説明情報表示画面Ｇａにおける説明情報の語義位置と対応しているか否か判断される（ステップＳ１７）。
【００５６】
ここで、前記サブ画面データの生成処理（図４参照）におけるステップＡ１に従いＲＡＭ２６に保存された用例・解説・語義位置対応データＤ（図５（Ｂ）参照）に基づき、前記手書き入力部（サブ画面）１５に表示された［用例］ｅ３について、タッチパネル式表示部（メイン画面）１６に現在表示されている説明情報表示画面Ｇａにおける説明情報の語義位置と対応していないと判断されると（ステップＳ１７（Ｎｏ））、図７（Ｂ）に示すように、同メイン画面１６に表示させる説明情報表示画面Ｇａ内の説明情報の先頭の語義位置が、前記サブ画面１５に表示された［用例］「break one’s journey at Rome（ローマで途中下車する）」ｅ３の語義位置に対応して「ｃ行為を中断する：終わらせる：じゃまをする…」にスクロールされ適正に表示される（ステップＳ１８）。
【００５７】
一方、前記手書き入力部（サブ画面）１５に表示された付帯情報一覧画面Ｇｂ（図７（Ａ）参照）において、例えば［成句］「break down」がペンＰによりタッチされて選択されると（ステップＳ１４（Ｙｅｓ）→Ｓ１５（Ｎｏ））、選択された［成句］の全内容「break down [自](1)＜車・機械などが＞故障する…」が前記［英和辞書］２２ｂ２から読み出され、タッチパネル式表示部（メイン画面）１６に表示される（ステップＳ１９）。
【００５８】
したがって、前記構成の電子辞書装置１０による辞書検索機能によれば、例えば所望の検索語「bre…」に対応して［英和辞書］２２ｂ２から検索された見出し語一覧に基づいて見出し語「break」が選択され、その説明情報表示画面Ｇａがタッチパネル式表示部（メイン画面）１６に表示されると、当該説明情報に含まれる各語義毎の用例・解説および成句の一覧データＤ（図５（Ｄ）参照）が生成され、各用例・解説・成句の先頭部分を一行ずつ配列した付帯情報一覧画面Ｇｂとして手書き入力部（サブ画面）１５に表示される。そして、前記手書き入力部（サブ画面）１５に表示された付帯情報一覧画面Ｇｂ内の任意の用例・解説・成句の何れかがペンタッチされて選択されると、用例・解説の場合はその内容が同手書き入力部（サブ画面）１５に表示され、また成句の場合はその内容がタッチパネル式表示部（メイン画面）１７に表示される。
【００５９】
このため、前記メイン画面１６にはこれまで通り検索見出し語に対応した説明情報表示画面Ｇａを表示しつつ、同時にサブ画面１５に当該説明情報における用例・解説・成句のデータ構造を表示させることができ、説明情報の表示量を削ることなくそのデータ構造を容易に把握できるようになる。しかも、サブ画面１５に表示された付帯情報一覧画面Ｇｂをタッチすることで、迅速且つ容易に所望の辞書情報［用例］［解説］［成句］を選択的に開いて表示させることができる。
【００６０】
また、前記構成の電子辞書装置１０による辞書検索機能によれば、手書き入力部（サブ画面）１５に表示された付帯情報一覧画面Ｇｂにおいて、同画面Ｇｂ内の［用例］キーＫｅ又は［解説］キーＫｃ又は［成句］キーＫｐを選択的にタッチすると、同画面Ｇｂとして表示対象の一覧データが［用例］又は［解説］又は［成句］だけに絞り込まれ、用例一覧画面、解説一覧画面、成句一覧画面Ｇｂｐに切り替えられて表示される。
【００６１】
このため、より迅速且つ容易に所望の辞書情報［用例］［解説］［成句］を選択的に開いて表示させることができる。
【００６２】
また、前記構成の電子辞書装置１０による辞書検索機能によれば、タッチパネル式表示部（メイン画面）１６に表示された説明情報表示画面Ｇａをスクロールして表示させると、同スクロールにより画面先頭に表示される説明情報の語義位置に応じて、前記手書き入力部（サブ画面）２０に表示中の付帯情報一覧画面Ｇｂにおける［用例］［解説］の表示位置もスクロールされる。
【００６３】
さらに、前記手書き入力部（サブ画面）１５に表示された付帯情報一覧画面Ｇｂから任意の［用例］を選択し、当該［用例］の内容を同サブ画面１５に表示させると、この選択された［用例］の語義位置に応じて、前記タッチパネル式表示部（メイン画面）１６に表示中の説明情報表示画面Ｇａにおける説明情報もスクロールされる。
【００６４】
このため、メイン画面１６の説明情報表示画面Ｇａにて確認できる説明情報と、サブ画面１５の付帯情報一覧画面Ｇｂに従い確認できる［用例］とを、常に互いの語義位置を対応させた状態にして表示させることができる。
【００６５】
なお、前記実施形態においては、付帯情報一覧画面Ｇｂはメイン画面１６と別に設けられたサブ画面１５に表示したが、メイン画面１６の中に別ウインドウとして表示するようにしても良い。
【００６６】
また、前記実施形態において記載した電子辞書装置１０による各処理の手法およびデータベース、すなわち、図３のフローチャートに示す辞書検索処理、図４のフローチャートに示す前記辞書検索処理に伴うサブ画面データの作成処理などの各手法および［英和辞書２２ｂ２等を含む辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、メイン画面１６およびサブ画面１５を備えた電子機器のコンピュータは、この外部記憶媒体２３に記憶されたプログラムを記憶装置２２に読み込み、この読み込んだプログラムによって動作が制御されることにより、前記各実施形態において説明した検索見出し語に対応する説明情報表示画面Ｇａのメイン画面表示に応じた付帯情報一覧画面Ｇｂのサブ画面表示機能を実現し、前述した手法による同様の処理を実行することができる。
【００６７】
また、前記各手法を実現するためのプログラムのデータは、プログラムコードの形態としてネットワークＮ上を伝送させることができ、このプログラムデータを、ネットワークＮに接続されたメイン画面１６およびサブ画面１５を備えた電子機器のコンピュータに通信制御部２５によって取り込むことで、前述した検索見出し語に対応する説明情報表示画面Ｇａのメイン画面表示に応じた付帯情報一覧画面Ｇｂのサブ画面表示機能を実現することもできる。
【００６８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００６９】
以下に、本願出願の当初の特許請求の範囲に記載された発明を付記する。
【００７０】
［１］
複数の見出し語と各見出し語の説明情報とを対応付けた辞書データを記憶する辞書データ記憶手段と、
ユーザ操作に応じて検索された見出し語に対応する説明情報を前記辞書データから読み出し第１の画面に表示させる説明情報表示手段と、
前記検索された見出し語に対応した説明情報に含まれる用例を前記辞書データから読み出し、当該用例の一覧を第２の画面に表示させる用例一覧表示手段と、
この用例一覧表示手段により表示された各用例の中からユーザ操作に応じて選択された用例を前記第２の画面に表示させる用例表示手段と、
を備えたことを特徴とする辞書情報表示装置。
【００７１】
［２］
前記用例一覧表示手段は、前記検索された見出し語に対応した説明情報に含まれる用例とその解説を前記辞書データから読み出し、当該用例と解説の一覧を第２の画面に表示させ、
前記用例表示手段は、前記用例一覧表示手段により表示された各用例と解説の中からユーザ操作に応じて選択された用例または解説を前記第２の画面に表示させる、
ことを特徴とする［１］に記載の辞書情報表示装置。
【００７２】
［３］
前記用例一覧表示手段は、前記検索された見出し語に対応した説明情報に含まれる用例とその解説と成句を前記辞書データから読み出し、当該用例と解説と成句の一覧を絞り込みキーと共に第２の画面に表示させ、
前記第２の画面に表示された絞り込みキーがユーザ操作に応じて指定された際に、前記辞書データから読み出された見出し語とその成句の一覧だけを同第２の画面に表示させる成句一覧表示手段を備えた、
ことを特徴とする［２］に記載の辞書情報表示装置。
【００７３】
［４］
前記辞書データ記憶手段により記憶される説明情報に含まれる用例は、当該説明情報の語義毎に対応付けられて記憶され、
前記説明情報表示手段により第１の画面に表示された説明情報をユーザ操作に応じてスクロールさせる説明情報スクロール手段と、
この説明情報スクロール手段によりスクロールされて前記第１の画面に表示された説明情報の語義位置に合わせて、前記用例一覧表示手段により第２の画面に表示された用例の一覧をスクロールさせる語義位置対応用例スクロール手段と、
を備えたことを特徴とする［１］に記載の辞書情報表示装置。
【００７４】
［５］
前記辞書データ記憶手段により記憶される説明情報に含まれる用例は、当該説明情報の語義毎に対応付けられて記憶され、
前記用例表示手段によりユーザ操作に応じて選択された用例が前記第２の画面に表示された際に、当該用例の語義位置に合わせて、前記説明情報表示手段により第１の画面に表示された説明情報の語義位置をスクロールさせる用例対応説明情報スクロール手段を備えた、
ことを特徴とする［１］に記載の辞書情報表示装置。
【００７５】
［６］
第１の画面と第２の画面とを有する電子機器のコンピュータを制御するためのプログラムであって、
前記コンピュータを、
複数の見出し語と各見出し語の説明情報とを対応付けた辞書データをメモリに記憶させる辞書データ記憶手段、
この辞書データ記憶手段により記憶された辞書データから、ユーザ操作に応じて検索された見出し語に対応する説明情報を読み出し前記第１の画面に表示させる説明情報表示手段、
前記検索された見出し語に対応した説明情報に含まれる用例を前記辞書データから読み出し、当該用例の一覧を前記第２の画面に表示させる用例一覧表示手段、
この用例一覧表示手段により表示された各用例の中からユーザ操作に応じて選択された用例を前記第２の画面に表示させる用例表示手段、
として機能させるためのプログラム。
【符号の説明】
【００７６】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…［訳／決定］キー
１４ｄ…［戻る］キー
１４ｅ…カーソルキー
１４ｆ…ページ送りキー
１５  …手書き入力部（サブ画面）
１５ｄ…カラー液晶表示部（バックライト付き）
１５ｔ…透明タッチパネル
１６  …タッチパネル式表示部（メイン画面）
１６ｄ…カラー液晶表示部（バックライト付き）
１６ｔ…透明タッチパネル
２１  …ＣＰＵ
２２  …記憶装置
２２ａ…装置制御プログラム
２２ｂ…辞書データベース
２２ｂ１…［国語辞書］
２２ｂ２…［英和辞書］
２２ｂ２ｐ…成句データ
２２ｂ３…［和英辞書］
２２ｂ４…［百科辞典］
２３  …外部記憶媒体
２４  …記憶媒体読み書き部
２５  …外部インターフェイス
２６  …ＲＡＭ
２６ａ…メイン画面データメモリ
２６ｂ…サブ画面データメモリ
３０  …Ｗｅｂサーバ
Ｎ    …通信ネットワーク
Ｇａ  …説明情報表示画面
Ｇｂ  …付帯情報一覧画面
Ｇｂｐ…成句一覧画面
Ｋｐ  …［成句］キー
Ｋｅ  …［用例］キー
Ｋｃ  …［解説］キー
Ｋｓ  …スクロールキー
Ｍｐ  …［成句］マーク
Ｄ    …用例・解説・語義位置対応データ
Ｌ    …用例・解説・成句一覧データ
【図１】
0005609697.tif 000002
【図２】
0005609697.tif 000003
【図３】
0005609697.tif 000004
【図４】
0005609697.tif 000005
【図５】
0005609697.tif 000006
【図６】
0005609697.tif 000007
【図７】
0005609697.tif 000008